(57)【要約】【課題】  圧電素子への配線作業を、圧電素子の歩留まり低下を抑制しつつ高信頼性を維持した状態で遂行可能とする。【解決手段】  圧電素子１３の共有電極板１９に給電するための端子部材５７Ａ−１のうち電気絶縁層６１に貫通孔６７Ａを設ける。共有電極板１９と端子部材５７とを、電気絶縁層６１側を圧電素子１３側に向けて対面させ、かつ、共有電極板１９と端子部材５７との間であって貫通孔６７Ａの周辺に液止め部材６９を介在させた状態で、貫通孔６７Ａ内に液状の導電性接着剤７１を注入する。これによって、端子部材５７Ａ−１の配線部６３Ａと、圧電素子１３の共有電極板１９と、の間における僅かな高低差を埋めて両者間の電気的な接続関係を確保する。【選択図】  図６
2010086649.tif 000002
【特許請求の範囲】
【請求項１】
電圧の印加状態に応じて変形する圧電素子を有し、基部と磁気ヘッドとの間に介在させて設けられて前記圧電素子の変形に従って前記磁気ヘッド側をスウェイ方向に微少移動させる圧電アクチュエータにおいて、
前記圧電素子に設けられる電極と、
少なくとも電気絶縁層と配線部とを積層させて成る、前記電極に給電するための端子部材と、
少なくとも前記電気絶縁層を貫通するように前記端子部材に設けられる貫通孔と、
を備え、
前記電極と前記端子部材とを、前記電気絶縁層側を前記圧電素子側に向けて対面させ、かつ、前記電極と前記端子部材との間であって前記貫通孔の周辺に液止め部材を介在させた状態で、前記貫通孔内に液状の導電性接着剤が注入されることによって、前記電極と前記配線部との間が電気的に接続されている、
ことを特徴とする圧電素子の電気的接続構造。
【請求項２】
請求項１記載の圧電素子の電気的接続構造であって、
前記貫通孔は、前記電気絶縁層及び前記配線部を貫通するように前記端子部材に設けられる、
ことを特徴とする圧電素子の電気的接続構造。
【請求項３】
請求項１又は２記載の圧電素子の電気的接続構造であって、
前記液止め部材は、前記電極と前記端子部材との間であって前記貫通孔の周囲にわたり設けられるリング状部材からなる、
ことを特徴とする圧電素子の電気的接続構造。
【請求項４】
請求項１又は２記載の圧電素子の電気的接続構造であって、
前記液止め部材は、前記電極と前記端子部材との間であって前記貫通孔の周方向にわたり相互に孤立させて複数設けられる孤立片群からなる、
ことを特徴とする圧電素子の電気的接続構造。
【請求項５】
請求項４記載の圧電素子の電気的接続構造であって、
前記孤立片群からなる液止め部材は、リング状部材を放射状にぶつ切りした形状の孤立片、ドット形状の孤立片、若しくはこれらの組合せからなる、
ことを特徴とする圧電素子の電気的接続構造。
【請求項６】
請求項１又は２記載の圧電素子の電気的接続構造であって、
前記液止め部材は、前記導電性基材とは別体の部材であって、前記端子部材側若しくは前記圧電素子の電極側に貼着されている、
ことを特徴とする圧電素子の電気的接続構造。
【請求項７】
請求項１〜５のうちいずれか一項に記載の圧電素子の電気的接続構造であって、
前記端子部材は、導電性基材上に、電気絶縁層を介して配線部を積層させて構成され、
前記端子部材のうち、前記圧電素子の電極と対面する範囲について、前記導電性基材はエッチング処理によって除去されている、
ことを特徴とする圧電素子の電気的接続構造。
【請求項８】
請求項７記載の圧電素子の電気的接続構造であって、
前記液止め部材は、前記エッチング処理時に、前記貫通孔の周辺における前記導電性基材を残すことで形成されている、
ことを特徴とする圧電素子の電気的接続構造。
【請求項９】
請求項１〜８のうちいずれか一項に記載の圧電素子の電気的接続構造を採用したことを特徴とする圧電アクチュエータ。
【請求項１０】
請求項９記載の圧電アクチュエータがベースプレートとロードビームとの間に設けられ、前記圧電素子の変形に従って前記ロードビームの先端側をスウェイ方向に微少移動させることを特徴とするヘッドサスペンション。
【請求項１１】
易破壊性を有する導電性部材に設けられる電極と、
少なくとも電気絶縁層と配線部とを積層させて成る、前記電極に給電するための端子部材と、
少なくとも前記電気絶縁層を貫通するように前記端子部材に設けられる貫通孔と、
を備え、
前記電極と前記端子部材とを、前記電気絶縁層側を前記導電性部材側に向けて対面させ、かつ、前記電極と前記端子部材との間であって前記貫通孔の周辺に液止め部材を介在させた状態で、前記貫通孔内に液状の導電性接着剤が注入されることによって、前記電極と前記配線部との間が電気的に接続されている、
ことを特徴とする導電性部材の電気的接続構造。
【請求項１２】
請求項１１記載の導電性部材の電気的接続構造であって、
前記貫通孔は、前記電気絶縁層及び前記配線部を貫通するように前記端子部材に設けられる、
ことを特徴とする導電性部材の電気的接続構造。
【発明の詳細な説明】
【技術分野】
【０００１】
本発明は、磁気ディスク装置の磁気ヘッドスライダを支持するためのヘッドサスペンションに関する。特に、本発明は、電圧の印加状態に応じて変形する圧電素子を備え、圧電素子の変形に従って磁気ヘッド側をスウェイ方向に微少移動させる圧電アクチュエータに関する。
【背景技術】
【０００２】
近年、情報機器の小型化、精密化が急速に進展してきている。かかる情勢から、微小距離で位置決め制御が可能なマイクロアクチュエータの需要が高まっている。例えば、光学系の焦点補正や傾角制御、インクジェットプリンタ装置、磁気ディスク装置のヘッドアクチュエータ等の技術分野では、そうしたマイクロアクチュエータの要請が高い。
【０００３】
一方、磁気ディスク装置では、記憶容量を大きくすることが喫緊の課題である。一般に磁気ディスク装置の大容量化は、ディスク１枚あたりの記憶容量を大きくすることで実現される。ディスクの直径を変えずに高記録密度化を実現するには、単位長さあたりのトラック数 (TPI : Track Per inch) を大きくすること、つまり、トラックの幅を狭くすることが必要である。そのため、トラックにおける幅方向の磁気ヘッドの位置決め精度を向上することが必要となる。かかる観点からも、微細領域で高精度の位置決めを実現可能なアクチュエータが望まれる。
【０００４】
こうした要請に応えるために、本願出願人は、ベースプレートと、ベースプレートよりも薄いヒンジ部を備えた連結プレートと、フレキシャが設けられるロードビームと、一対の圧電素子と、などを備えたディスク装置用サスペンション（例えば、特許文献１参照）を提案している。
【０００５】
上述の特許文献１に係る技術は、デュアル・アクチュエータ方式と呼ばれる。この方式では、精密位置決め用のアクチュエータとして、通常のボイルコイルモータに加えて、ＰＺＴ（チタン酸ジルコン酸鉛）よりなる圧電素子を採用している。
【０００６】
この圧電素子は、ロードビームの先端側を、サスペンションにおける幅方向（いわゆるスウェイ方向）に微少駆動する。同方式を用いたヘッドサスペンションによれば、シングル・アクチュエータ方式のものと比較して、磁気ヘッドの位置決めを高精度に行うことができる。
【０００７】
こうしたデュアル・アクチュエータ方式を用いたヘッドサスペンションでは、圧電素子への給電をいかにして行うか、が問題となる。
【０００８】
このような問題を解決するためのアプローチのひとつとして、圧電素子へ給電するために、ヘッドサスペンションに一対の配線を形成し、一方の配線は、ベース側電極とワイヤボンディングにより接続し、他方の配線は、一対の各圧電素子の上面露出部とをワイヤーボンディングで結線するように構成したヘッドサスペンション装置が開示されている（例えば、特許文献２の図９及び図１０参照）。
【０００９】
しかしながら、特許文献２に係るワイヤーボンディング技術では、接合強度を確保しつつワイヤーボンディング処理を施そうとすると、必然的に圧電素子に対して局所的な応力が加わることから、割れが生じてしまうおそれがある。割れが生じないように加減してワイヤーボンディング処理を施した場合には、接合強度を稼げないことから、電気的接続に係る信頼性を損なうおそれがある。
【００１０】
要するに、圧電素子の歩留まり低下を抑制しつつ高信頼性を維持した状態で、圧電素子への配線作業を遂行することは困難であった。
【先行技術文献】
【特許文献】
【００１１】
【特許文献１】特開２００２−５０１４０号公報
【特許文献２】特開２００３−６１３７１号公報
【発明の概要】
【発明が解決しようとする課題】
【００１２】
解決しようとする問題点は、従来技術では、圧電素子への配線作業を、圧電素子の歩留まり低下を抑制しつつ高信頼性を維持した状態で遂行することは困難であった点である。
【課題を解決するための手段】
【００１３】
本発明は、圧電素子への配線作業を、圧電素子の歩留まり低下を抑制しつつ高信頼性を維持した状態で遂行可能な圧電素子の電気的接続構造、圧電アクチュエータ、ヘッドサスペンションを得ること目的として、電圧の印加状態に応じて変形する圧電素子を有し、基部と磁気ヘッドとの間に介在させて設けられて前記圧電素子の変形に従って前記磁気ヘッド側をスウェイ方向に微少移動させる圧電アクチュエータにおいて、前記圧電素子に設けられる電極と、少なくとも電気絶縁層と配線部とを積層させて成る、前記電極に給電するための端子部材と、少なくとも前記電気絶縁層を貫通するように前記端子部材に設けられる貫通孔と、を備え、前記電極と前記端子部材とを、前記電気絶縁層側を前記圧電素子側に向けて対面させ、かつ、前記電極と前記端子部材との間であって前記貫通孔の周辺に液止め部材を介在させた状態で、前記貫通孔内に液状の導電性接着剤が注入されることによって、前記電極と前記配線部との間が電気的に接続されている、ことを最も主要な特徴とする。
【発明の効果】
【００１４】
本発明に係る圧電素子の電気的接続構造では、前記電極と前記端子部材とを、前記電気絶縁層側を前記圧電素子側に向けて対面させ、かつ、前記電極と前記端子部材との間であって前記貫通孔の周辺に液止め部材を介在させた状態で、前記貫通孔内に液状の導電性接着剤が注入されることによって、前記圧電素子の電極と前記配線部との間が電気的に接続されている。
【００１５】
従って、圧電素子への配線作業を、圧電素子の歩留まり低下を抑制しつつ高信頼性を維持した状態で遂行することができる。
【図面の簡単な説明】
【００１６】
【図１】本発明実施例に係るヘッドサスペンションの外観斜視図である。
【図２】本発明実施例に係る圧電アクチュエータの外観斜視図である。
【図３】本圧電アクチュエータのＡ−Ａ線に沿う矢視断面図である。
【図４】本発明実施例に係るヘッドサスペンションを裏面から視た平面図である。
【図５】図５は、第１〜第４端子部材付き配線部材の外観図であり、図５（Ａ）は、配線部材をヘッドサスペンションの裏面側から視た外観図、図５（Ｂ）は、配線部材を圧電素子側から視た外観図である。
【図６】図６は、第１端子部材の外観図であり、図６（Ａ）は、第１端子部材を圧電素子側から視た正面図、図６（Ｂ）は、第１端子部材の右側面図、図６（Ｃ）は、第１端子部材の取付状態を示す図４のＢ−Ｂ線に沿う矢視断面図である。
【図７】図７は、第２端子部材の外観図であり、図７（Ａ）は、第２端子部材を圧電素子側から視た正面図、図７（Ｂ）は、第２端子部材の取付状態を示す図４のＢ−Ｂ線に沿う矢視断面図である。
【図８】図８は、第３端子部材の外観図であり、図８（Ａ）は、第３端子部材を圧電素子側から視た正面図、図８（Ｂ）は、第３端子部材の取付状態を示す図４のＢ−Ｂ線に沿う矢視断面図である。
【図９】図９は、第４端子部材の外観図であり、図９（Ａ）は、第４端子部材を圧電素子側から視た正面図、図９（Ｂ）は、第４端子部材の右側面図、図９（Ｃ）は、第４端子部材の取付状態を示す図４のＢ−Ｂ線に沿う矢視断面図である。
【図１０】図１０は、第５〜第８端子部材付き配線部材の外観図であり、図１０（Ａ）は、配線部材をヘッドサスペンションの裏面側から視た外観図、図１０（Ｂ）は、配線部材を圧電素子側から視た外観図である。
【図１１】図１１は、第５端子部材の外観図であり、図１１（Ａ）は、第５端子部材を圧電素子側から視た正面図、図１１（Ｂ）は、第５端子部材の右側面図、図１１（Ｃ）は、第５端子部材の取付状態を示す図４のＢ−Ｂ線に沿う矢視断面図である。
【図１２】図１２は、第６端子部材の外観図であり、図１２（Ａ）は、第６端子部材を圧電素子側から視た正面図、図１２（Ｂ）は、第６端子部材の取付状態を示す図４のＢ−Ｂ線に沿う矢視断面図である。
【図１３】図１３は、第７端子部材の外観図であり、図１３（Ａ）は、第７端子部材を圧電素子側から視た正面図、図１３（Ｂ）は、第７端子部材の取付状態を示す図４のＢ−Ｂ線に沿う矢視断面図である。
【図１４】図１４は、第８端子部材の外観図であり、図１４（Ａ）は、第８端子部材を圧電素子側から視た正面図、図１４（Ｂ）は、第８端子部材の右側面図、図１４（Ｃ）は、第８端子部材の取付状態を示す図４のＢ−Ｂ線に沿う矢視断面図である。
【図１５】本発明の変形実施例に係るヘッドサスペンションの外観図である。
【発明を実施するための形態】
【００１７】
圧電素子への配線作業を、圧電素子の歩留まり低下を抑制しつつ高信頼性を維持した状態で遂行可能にするといった目的を、前記電極と前記端子部材とを、前記電気絶縁層側を前記圧電素子側に向けて対面させ、かつ、前記電極と前記端子部材との間であって前記貫通孔の周辺に液止め部材を介在させた状態で、前記貫通孔内に液状の導電性接着剤が注入されることによって、前記圧電素子の電極と前記配線部との間が電気的に接続されている、圧電素子の電気的接続構造によって実現した。
【実施例】
【００１８】
以下、本発明実施例に係る圧電素子の電気的接続構造、圧電アクチュエータ、ヘッドサスペンション、及び導電性部材の電気的接続構造について、図面を参照しつつ詳細に説明する。
【００１９】
初めに、本発明実施例に係るヘッドサスペンションの概略構成について説明する。
【００２０】
［本発明実施例に係るヘッドサスペンション］
図１は、本発明実施例に係るヘッドサスペンションの外観斜視図である。
【００２１】
図１に示すように、本発明実施例に係るヘッドサスペンション３１は、次述する圧電素子１３の取付部としての機能を兼ねたベースプレート３３と、ロードビーム３５と、ヒンジ部材としての機能を兼ねた連結プレート３７と、などを備えている。
【００２２】
このヘッドサスペンション３１は、ベースプレート３３に形成した後述する開口部４３を有し、同開口部４３に、電圧の印加状態に応じて変形する圧電素子１３を埋め込み式に装着することで、圧電素子１３の変形に従ってロードビーム３５の先端側をスウェイ方向に変位させるように構成されている。
【００２３】
ベースプレート３３は、板厚が例えば１５０〜２００μｍ程度の、例えばステンレス製薄板から構成されている。ベースプレート３３は、Ｕ字状に湾曲した左右一対の可撓部４１ａ，４１ｂと、圧電素子１３を収容可能な開口部４３と、略円形のボス孔４５と、を有している。一対の可撓部４１ａ，４１ｂは、圧電素子１３の側面に対応したそれぞれの位置において、外側に凸となるように湾曲している。ベースプレート３３は、不図示のボイスコイルモータによって駆動されるアクチュエータアームの先端部に固定され、ボイスコイルモータによって旋回駆動されるようになっている。
【００２４】
ベースプレート３３の素材としては、例えば、アルミニウム合金などの軽合金、又は軽合金とステンレス鋼とからなるクラッド材等を用いることもできる。かかる軽量素材を採用すれば、ベースプレート３３の慣性質量（イナーシャ）を小さくすることを通じて、スウェイ方向の共振周波数を高くし、ひいてはヘッドサスペンション３１のトレース能力向上に寄与することができる。
【００２５】
なお、ベースプレート３３に可撓部４１ａ，４１ｂ及び開口部４３を設ける構成に代えて、ベースプレート３３に対してその後端側が重ね合わされた状態でレーザ溶接等の適宜の固着手段によって固着されるアクチュエータプレート３４に、可撓部４１ａ，４１ｂ及び開口部４３を設ける構成を採用してもよい。
【００２６】
すなわち、本発明は、ベースプレート３３とアクチュエータプレート３４を共に備えているヘッドサスペンション、及びベースプレート３３を備えているがアクチュエータプレート３４は備えていないヘッドサスペンションの両者を、その技術的範囲の射程に捉えている。ただし、以下では、説明の簡略化を企図して、”アクチュエータプレート３４”は、”ベースプレート３３”と一体であるものとして説明を進める。
【００２７】
ロードビーム３５にはフレキシャ３９が設けられている。フレキシャ３９は、ロードビーム３５よりもさらに薄く精密な金属製の薄板ばねからなる。フレキシャ３９における先端側には、磁気ヘッドを構成するスライダ（不図示）が設けられている。
【００２８】
ロードビーム３５は、フレキシャ３９におけるスライダに負荷荷重を与えるもので、例えば３０〜１５０μｍ程度の板厚のステンレス鋼で形成されている。ロードビーム３５には、その両側部に一対の曲げ縁３６ａ，３６ｂが形成されている。これにより、ロードビーム３５の剛性を高めるようにしている。ロードビーム３５における後端側には、連結プレート３７が一体に設けられている。
【００２９】
ロードビーム３５の素材としては、例えば、アルミニウム合金などの軽合金、又は軽合金とステンレス鋼とからなるクラッド材等を用いることもできる。かかる軽量素材を採用すれば、ロードビーム３５の慣性質量（イナーシャ）を小さくすることを通じて、スウェイ方向の共振周波数を高くし、ひいてはヘッドサスペンション３１のトレース能力向上に寄与することができる。
【００３０】
連結プレート３７は、板厚が例えば３０μｍ程度のばね性を有する金属板から構成されている。連結プレート３７の一部には、厚み方向の曲げ剛性を下げるための孔４７が形成されている。この孔４７の両側部に、厚み方向に撓むことのできる左右一対のヒンジ部４９ａ，４９ｂが形成されている。
【００３１】
連結プレート３７における後端側は、ベースプレート３３における先端側に、その裏面側から重ね合わされて、レーザ溶接等の適宜の固着手段によって相互に固着されている。
【００３２】
本発明実施例に係るヘッドサスペンション３１の説明の途中であるが、ここで説明の便宜上、本発明実施例に係るヘッドサスペンションに組み込まれる圧電アクチュエータの構成及びその作用効果について説明する。
【００３３】
［圧電アクチュエータ］
図２は、本発明実施例に係る圧電アクチュエータの外観斜視図、図３は、本圧電アクチュエータのＡ−Ａ線に沿う矢視断面図である。
【００３４】
図２及び図３に示すように、本発明実施例に係る圧電アクチュエータ１１は、電圧の印加状態に応じて変形する、略矩形形状の圧電素子１３を有し、圧電素子１３の変形に従って被駆動部材（本発明実施例ではロードビーム３５）を駆動する役割を果たす。
【００３５】
ここで、”電圧の印加状態に応じて変形する”とは、電圧の印加又は開放に応じて変形する概念と、電圧の印加レベルに応じて変形する概念と、の両者を包含する概念である。
【００３６】
圧電素子１３は、共通の平面内において相互に所定距離離隔して配置される一対の第１及び第２電極板１５，１７と、一対の第１及び第２電極板１５，１７に対向して設けられる一つの共有電極板（本発明の”圧電素子の電極”に相当する。）１９と、一対の第１及び第２電極板１５，１７と共有電極板１９との間に設けられる圧電材料部２１と、を備えて構成されている。
【００３７】
第１及び第２電極板１５，１７と共有電極板１９は、例えば金（Ａｕ）等の接触抵抗が低い金属材料を好適に用いることができる。また、一対の第１及び第２電極板１５，１７は、相互に略同一形状かつ略同一サイズに形成されている。さらに、共有電極板１９は、一対の第１及び第２電極板１５，１７を統合したものと略同一形状かつ略同一サイズに形成されている。
【００３８】
圧電材料部２１は、第１電極板１５への電圧の印加状態に応じて変形する第１圧電材料部２１ａと、第２電極板１７への電圧の印加状態に応じて変形する第２圧電材料部２１ｂとを、相互に異なる分極方向となるように配置して構成されている。具体的には、これら第１及び第２圧電材料部２１ａ，２１ｂは、例えば圧電セラミックスを素材として用いて、相互に１８０°異なる分極方向となるように配置されている。
【００３９】
次に、本発明実施例に係る圧電アクチュエータ１１の動作について、圧電素子１３におけるＸ（図２参照）を固定側ベース部とする一方、Ｙ（図２参照）を駆動側ベース部とし、さらに、一対の第１及び第２電極板１５，１７を電気的に接地する一方、共有電極板１９に所要の電圧を印加した場合を想定して説明する。
【００４０】
この場合、圧電素子１３は、図２に示すように、第１電極板１５における一方の端面２３が収縮する一方、第２電極板１７における他方の端面２５が伸長することで、全体として略台形形状に歪む。すると、圧電素子１３は、Ｚ方向（図２参照）に微少距離だけ変位することで、駆動側ベース部Ｙにおける被駆動部材の位置を変位させることができる。
【００４１】
上述とは逆に、共有電極板１９を電気的に接地する一方、一対の第１及び第２電極板１５，１７に所要の電圧を印加した場合には、マイナスＺ方向（図２のＺ方向とは逆方向）に微少距離だけ変位することで、駆動側ベース部Ｙにおける被駆動部材の位置を変位させることができる。
【００４２】
従って、本発明実施例に係る圧電アクチュエータによれば、第１及び第２電極板１５，１７と共有電極板１９の３枚の各電極のそれぞれに対して都合３系統の電気的接続を確保すればよい。この結果、圧電素子への配線作業を、簡易かつ高信頼性を維持した状態で遂行するのを、各電極の構成面から補助することができる。
【００４３】
また、一つの圧電素子１３を用いて圧電アクチュエータを構成する本発明実施例では、部品点数削減を通じて、部品管理の煩わしさを低減するとともに、コスト的にも有利となる。
【００４４】
次いで、引き続き本発明実施例に係るヘッドサスペンション３１の説明に戻る。
【００４５】
図４は、本発明実施例に係るヘッドサスペンションを裏面側から視た平面図である。
【００４６】
図１及び図４に示すように、ベースプレート３３における開口部４３には、第１及び第２電極板１５，１７が上方に位置する一方で、共有電極板１９が下方に位置するように、圧電素子１３が埋め込み式に設けられている。
【００４７】
ベースプレート３３の開口部４３の周縁における先端側及び後端側には、圧電素子１３の接着性能向上を企図して、部分的なエッチング処理が施してある。
【００４８】
圧電素子１３と、ベースプレート３３との間には、その周縁における先端側及び後端側に、適宜の厚みを有する非導電性接着剤層５１が設けられている。この非導電性接着剤層５１によって、圧電素子１３の歪み（変位）を効果的にロードビーム３５に伝達するとともに、圧電素子１３における共有電極板１９とベースプレート３３間における電気的な絶縁を確保するようにしている。
【００４９】
本実施例では、ベースプレート３３と、連結プレート３７とが相互に重なり合う部分によって、圧電アクチュエータ１１における駆動側ベース部Ｙが構成されている。
【００５０】
次に、本発明実施例に係る圧電素子の電気的接続構造及びその作用効果について説明する。
【００５１】
［圧電素子の電気的接続構造］
図５（Ａ）は、第１〜第４端子部材付き配線部材をヘッドサスペンションの裏面側から視た外観図、図５（Ｂ）は、第１〜第４端子部材付き配線部材を圧電素子側から視た外観図、図６（Ａ）は、第１端子部材を圧電素子側から視た正面図、図６（Ｂ）は、第１端子部材の右側面図、図６（Ｃ）は、第１端子部材の取付状態を示す図４のＢ−Ｂ線に沿う矢視断面図、図７（Ａ）は、第２端子部材を圧電素子側から視た正面図、図７（Ｂ）は、第２端子部材の取付状態を示す図４のＢ−Ｂ線に沿う矢視断面図、図８（Ａ）は、第３端子部材を圧電素子側から視た正面図、図８（Ｂ）は、第３端子部材の取付状態を示す図４のＢ−Ｂ線に沿う矢視断面図、図９（Ａ）は、第４端子部材を圧電素子側から視た正面図、図９（Ｂ）は、第４端子部材の右側面図、図９（Ｃ）は、第４端子部材の取付状態を示す図４のＢ−Ｂ線に沿う矢視断面図、図１０（Ａ）は、第５〜第８端子部材付き配線部材をヘッドサスペンションの裏面側から視た外観図、図１０（Ｂ）は、第５〜第８端子部材付き配線部材を圧電素子側から視た外観図、図１１（Ａ）は、第５端子部材を圧電素子側から視た正面図、図１１（Ｂ）は、第５端子部材の右側面図、図１１（Ｃ）は、第５端子部材の取付状態を示す図４のＢ−Ｂ線に沿う矢視断面図、図１２（Ａ）は、第６端子部材を圧電素子側から視た正面図、図１２（Ｂ）は、第６端子部材の取付状態を示す図４のＢ−Ｂ線に沿う矢視断面図、図１３（Ａ）は、第７端子部材を圧電素子側から視た正面図、図１３（Ｂ）は、第７端子部材の取付状態を示す図４のＢ−Ｂ線に沿う矢視断面図、図１４（Ａ）は、第８端子部材を圧電素子側から視た正面図、図１４（Ｂ）は、第８端子部材の右側面図、図１４（Ｃ）は、第８端子部材の取付状態を示す図４のＢ−Ｂ線に沿う矢視断面図である。
【００５２】
以下の説明において、共通の部材には共通の符合を付して、重複した説明を省略する。また、相互に類似する構成については、その相違点を中心に説明する。さらに、例えば、端子部材５７Ａ，５７Ｂに代えて”端子部材５７”のように”Ａ”または”Ｂ”等の添え字を省略して表記したときは、端子部材５７を総称するものとする。”端子部材５７”以外の部材も同様とする。
【００５３】
本発明実施例に係るヘッドサスペンション３１の組立時において、圧電素子１３は、開口部４３の内周面によって所定の位置に位置決めされる。その結果、図４，図５及び図１０等に示すように、圧電素子１３に対する給電、並びに磁気ヘッドにおける読み取りまたは書き込み信号を伝送するための、フレキシャ３９における配線部材５５のうち端子部材５７と、圧電素子１３における共有電極板１９とが、相互に対面するように位置する。これら両者間の高低差は数１０μｍ程度とごく僅かである。
【００５４】
なお、図５（Ａ），図１０（Ａ）に示すように、端子部材５７（配線部材５５も同様）は、導電性基材（フレキシャ３９のＳＵＳ製基材）５９上に、電気絶縁層６１を介して例えば銅線等からなる配線部６３を、都合三層に積層させて構成されている。
【００５５】
また、図５（Ｂ），図１０（Ｂ）に示すように、端子部材５７のうち、圧電素子１３の共有電極板１９と対面する範囲６５について、共有電極板１９と導電性基材５９間における短絡事故を未然に回避する目的で、導電性基材５９はエッチング処理によって除去されている。
【００５６】
さて、端子部材５７Ａと、圧電素子１３の共有電極板１９と、の間における僅かな高低差を埋めて両者間の電気的な接続関係を確保するために、第１〜第４端子部材５７Ａ−１〜４に係る基本となる圧電素子の電気的接続構造は、圧電素子１３に設けられる共有電極板１９と、共有電極板１９に給電するための端子部材５７Ａと、電気絶縁層６１のみを貫通するように端子部材５７Ａに設けられる貫通孔６７Ａと、を備える。共有電極板１９と端子部材５７Ａとを、電気絶縁層６１側を圧電素子１３側に向けて対面させ、かつ、共有電極板１９と端子部材５７Ａとの間であって貫通孔６７Ａの周辺に液止め部材６９を介在させた状態で、貫通孔６７Ａ内に液状の導電性接着剤７１が注入される。これによって、共有電極板１９と配線部６３Ａとの間を電気的に接続するように構成されている。
【００５７】
第１〜第４端子部材５７Ａ−１〜４に係る圧電素子の電気的接続構造では、図５（Ａ），図５（Ｂ）に示すように、貫通孔６７Ａは、電気絶縁層６１のみを貫通するように端子部材５７Ａに設けられている。配線部６３Ａには孔が空けられていない。
【００５８】
従って、電気絶縁層６１に空けられた貫通孔６７Ａを通して、配線部６３Ａの端面を望むことができるようになっている。
【００５９】
ここで、液止め部材６９は、貫通孔６７に導電性接着剤液７１が注入されたとき、共有電極板１９と端子部材５７との間に生じる隙間を狭くさせ、かかる狭い隙間で毛細管現象を発生させる目的で、共有電極板１９と端子部材５７との間に介在させている。
【００６０】
液止め部材６９の材質は、導電性接着剤７１の立体障害としての役割を果たす目的を考慮すると、導電性接着剤７１に係る素材との相性が良好（浸食や溶解等の作用がない）である限りにおいて、例えば金属や樹脂など、あらゆる材質を採用することができる。導電性接着剤７１としては、例えば銀ペーストなど、適宜の素材を採用することができる。
【００６１】
なお、圧電素子１３における第１及び第２電極板１５，１７の各々と、ベースプレート３３との各間には、図１に示すように、各間における電気的な接続を確保するための一対の導電性接着剤５３ａ，５３ｂが塗布されている。これにより、第１及び第２電極板１５，１７の各々と、ベースプレート３３との各間における電気的な接続関係が担保されている。
【００６２】
次いで、第１端子部材５７Ａ−１に係る圧電素子の電気的接続構造について、前述した基本となる接続構造との差異に注目して説明すると、図６（Ａ），図６（Ｂ），図６（Ｃ）に示すように、共有電極板１９と第１端子部材５７Ａ−１との間であって貫通孔６７Ａの周囲にわたりリング状の液止め部材６９−１を介在させた状態で、貫通孔６７Ａ内に液状の導電性接着剤７１が注入されることによって、共有電極板１９と配線部６３Ａとの間を電気的に接続するように構成されている。
【００６３】
リング状の液止め部材６９−１は、前述のエッチング処理時に、貫通孔６７Ａの周囲にわたり導電性基材５９を残すことで形成されている。ただし、かかる処理を遂行する際に、エッチング処理によって貫通孔６７Ａの周囲にわたり導電性基材５９を部分的に残した時に、エッチング処理によって除去されていない本体となる導電性基材５９との間において、電気的な接続関係が完全に絶たれていることを要する。これは、共有電極板１９と導電性基材５９間における短絡事故を未然に回避することに基づく。かかる構成に代えて、導電性基材５９に係るエッチング処理を完遂すると同時に、導電性基材５９とは別体のリング状の液止め部材６９−１を適用してもよい。
【００６４】
また、第２端子部材５７Ａ−２に係る圧電素子の電気的接続構造について、前述した第１端子部材５７Ａ−１に係る接続構造との差異に注目して説明すると、図７（Ａ），図７（Ｂ）に示すように、共有電極板１９と第２端子部材５７Ａ−２との間であって貫通孔６７Ａの周方向にわたりリング状部材部材６９−１を放射状にぶつ切りした形状の孤立片７３が複数（実施例では４つ）均等に設けられる孤立片群からなる液止め部材６９−２を介在させた状態で、貫通孔６７Ａ内に液状の導電性接着剤７１が注入されることによって、共有電極板１９と配線部６３Ａとの間を電気的に接続するように構成されている。
【００６５】
孤立片群からなる液止め部材６９−２は、前述のエッチング処理時に、貫通孔６７Ａの周辺に所要形状の孤立片に係る導電性基材５９を残すことで形成することができる。
【００６６】
さらに、第３端子部材５７Ａ−３に係る圧電素子の電気的接続構造について、前述した第２端子部材５７Ａ−２に係る接続構造との差異に注目して説明すると、図８（Ａ），図８（Ｂ）に示すように、共有電極板１９と第３端子部材５７Ａ−３との間であって貫通孔６７Ａの周方向にわたりドット形状の孤立片７３が複数（実施例では４つ）均等に設けられる孤立片群からなる液止め部材６９−３を介在させた状態で、貫通孔６７Ａ内に液状の導電性接着剤７１が注入されることによって、共有電極板１９と配線部６３Ａとの間を電気的に接続するように構成されている。
【００６７】
孤立片群からなる液止め部材６９−３は、前述のエッチング処理時に、貫通孔６７Ａの周辺に所要形状の孤立片に係る導電性基材５９を残すことで形成することができる。
【００６８】
そして、第４端子部材５７Ａ−４に係る圧電素子の電気的接続構造について、前述した第１端子部材５７Ａ−１に係る接続構造との差異に注目して説明すると、図９（Ａ），図９（Ｂ）に示すように、第１端子部材５７Ａ−１に係る接続構造では、リング状の液止め部材６９−１が電気絶縁層６１側に密着（貼着を含む。以下、同じ。）して設けられていたのに対し、第４端子部材５７Ａ−４に係る接続構造では、リング状の液止め部材６９−４が共有電極板１９側に密着して設けられている。
【００６９】
一方、端子部材５７Ｂと、圧電素子１３の共有電極板１９と、の間における僅かな高低差を埋めて両者間の電気的な接続関係を確保するために、第５〜第８端子部材５７Ｂ−１〜４に係る基本となる圧電素子の電気的接続構造は、共有電極板１９と、共有電極板１９に給電するための端子部材５７Ｂと、電気絶縁層６１及び配線部６３Ｂを貫通するように端子部材５７Ｂに設けられる貫通孔６７Ｂと、を備える。共有電極板１９と端子部材５７Ｂとを、電気絶縁層６１側を圧電素子１３側に向けて対面させ、かつ、共有電極板１９と端子部材５７Ｂとの間であって貫通孔６７Ｂの周辺に液止め部材６９を介在させた状態で、貫通孔６７Ｂ内に液状の導電性接着剤７１が注入される。これによって、共有電極板１９と配線部６３Ｂとの間を電気的に接続するように構成されている。
【００７０】
第１〜第４端子部材５７Ａ−１〜４に係る圧電素子の電気的接続構造では、図５（Ａ），図５（Ｂ）に示すように、貫通孔６７Ａは、電気絶縁層６１のみを貫通するように端子部材５７Ａに設けられるのに対し、第５〜第８端子部材５７Ｂ−１〜４に係る圧電素子の電気的接続構造では、図１０（Ａ），図１０（Ｂ）に示すように、貫通孔６７Ｂは、電気絶縁層６１及び配線部６３Ｂを貫通するように端子部材５７Ｂに設けられる点が、大きく相違している。
【００７１】
従って、電気絶縁層６１及び配線部６３Ｂに空けられた貫通孔６７Ｂを通して、配線部６３Ｂの孔の内周面を望むことができるようになっている。
【００７２】
液止め部材６９の存在目的又は材質は、第１〜第４端子部材５７Ａ−１〜４に係る圧電素子の電気的接続構造のそれと同様である。
【００７３】
次いで、第５端子部材５７Ｂ−１に係る圧電素子の電気的接続構造について、前述した第１端子部材５７Ａ−１に係る圧電素子の電気的接続構造との差異に注目して説明すると、図１１（Ａ），図１１（Ｂ），図１１（Ｃ）に示すように、電気絶縁層６１及び配線部６３Ｂを貫通するように端子部材５７Ｂに貫通孔６７Ｂを設けた点が、大きく相違している。リング状の液止め部材６９−１を用いる点など、その他の構成は共通である。
【００７４】
また、第６端子部材５７Ｂ−２に係る圧電素子の電気的接続構造について、前述した第２端子部材５７Ａ−２に係る圧電素子の電気的接続構造との差異に注目して説明すると、図１２（Ａ），図１２（Ｂ）に示すように、電気絶縁層６１及び配線部６３Ｂを貫通するように端子部材５７Ｂに貫通孔６７Ｂを設けた点が、大きく相違している。孤立片７３が複数均等に設けられる孤立片群からなる液止め部材６９−２を用いる点など、その他の構成は共通である。
【００７５】
さらに、第７端子部材５７Ｂ−３に係る圧電素子の電気的接続構造について、前述した第３端子部材５７Ａ−３に係る接続構造との差異に注目して説明すると、図１３（Ａ），図１３（Ｂ）に示すように、電気絶縁層６１及び配線部６３Ｂを貫通するように端子部材５７Ｂに貫通孔６７Ｂを設けた点が、大きく相違している。ドット形状の孤立片７３が複数均等に設けられる孤立片群からなる液止め部材６９−３を用いる点など、その他の構成は共通である。
【００７６】
そして、第８端子部材５７Ｂ−４に係る圧電素子の電気的接続構造について、前述した第４端子部材５７Ａ−４に係る接続構造との差異に注目して説明すると、図１４（Ａ），図１４（Ｂ）に示すように、電気絶縁層６１及び配線部６３Ｂを貫通するように端子部材５７Ｂに貫通孔６７Ｂを設けた点が、大きく相違している。共有電極板１９側に密着して設けられるリング状の液止め部材６９−４を用いる点など、その他の構成は共通である。
【００７７】
本発明実施例に係る基本となる圧電素子の電気的接続構造によれば、貫通孔６７内に導電性接着剤液７１が注入されたとき、共有電極板１９と端子部材５７との隙間に液止め部材６９が介在していると、その隙間に狭小部分が生じる。この狭小部分では毛細管現象が発生し、同狭小部分において導電性接着剤液７１が這うように浸透・拡散する。
【００７８】
これに対し、液止め部材６９が介在していない前記隙間が広い部分では毛細管現象が発生しないため、同隙間が広い部分において導電性接着剤液７１が浸透・拡散することはない。
【００７９】
このように、液止め部材６９の介在部分における外延を越えてまで導電性接着剤液７１が浸透・拡散することはない。液止め部材６９の介在部分における外延があたかも堤防のように機能することで、液止め部材６９の介在部分における外延の内側に導電性接着剤液７１がとどまる。その結果、確実な接合強度をもって、圧電素子１３への機械的ストレスを一切与えることなく、共有電極板１９と配線部６３との間における電気的接続を担保することができる。
【００８０】
従って、圧電素子１３への配線作業を、圧電素子１３の歩留まり低下を抑制しつつ高信頼性を維持した状態で遂行することができる。
【００８１】
仮に、共有電極板１９と端子部材５７との隙間に液止め部材６９が介在していない場合には、上述した液止め部材６９の介在部分における外延は存在しない。つまり、導電性接着剤液７１の浸透・拡散を抑止するためのいわゆる堤防は一切存在しない。
【００８２】
このため、貫通孔６７内に導電性接着剤液７１が注入されたとき、共有電極板１９と端子部材５７との隙間において、導電性接着剤液７１が無節操に浸透・拡散してしまう事態を招来しかねない。
【００８３】
その結果、１）導電性接着剤液の貫通孔内への注入量のコントロールを行うことが難しく、導電性接着剤液の貫通孔内への注入作業を自動化することに困難を伴う、２）ヘッドサスペンションの剛性バランスが崩れ、振動特性が劣化する、３）導電性接着剤液がひどく浸透・拡散した場合、圧電素子の電極と何らかの導電性部材との間で電気的短絡が生じる、などといった諸問題を生じるおそれがあった。
【００８４】
これに対し、本発明実施例に係る圧電素子の電気的接続構造では、共有電極板１９と端子部材５７との隙間に液止め部材６９が介在している。このため、貫通孔６７内に導電性接着剤液７１が注入されたとき、共有電極板１９と端子部材５７との隙間において、導電性接着剤液７１が無節操に浸透・拡散することはない。
【００８５】
従って、上述した諸問題を未然に回避して、１）導電性接着剤液の貫通孔内への注入量を容易にコントロールすることができ、導電性接着剤液７１の貫通孔６７内への注入作業を円滑に自動化することができる、２）ヘッドサスペンションの剛性バランスが適正に保たれ、振動特性を良好に維持できる、３）導電性接着剤液７１が無節操に浸透・拡散することは抑止されているため、共有電極板１９と何らかの導電性部材との間で電気的短絡が生じることはない、といった本発明特有の効果を奏する。
【００８６】
また、第１又は第５端子部材５７Ａ−１，５７Ｂ−１に係る圧電素子の電気的接続構造によれば、貫通孔６７Ａ，６７Ｂに導電性接着剤液７１が注入されたとき、共有電極板１９と端子部材５７Ａ，５７Ｂとの隙間にリング状の液止め部材６９−１が介在していると、その隙間に貫通孔６７Ａ，６７Ｂの周囲にわたって狭小部分（図６（Ｃ）参照）が生じる。この狭小部分では毛細管現象が発生し、同狭小部分において導電性接着剤液７１が這うように浸透・拡散する。
【００８７】
これに対し、液止め部材６９が介在していない前記隙間が広い部分では毛細管現象が発生しないため、同隙間が広い部分において導電性接着剤液７１が浸透・拡散することはない。
【００８８】
このように、リング状の液止め部材６９−１の介在部分における外延を越えてまで導電性接着剤液７１が浸透・拡散することはない。液止め部材６９−１の介在部分におけるリング状の外延があたかも堤防のように機能することで、前記リング状の外延の内側に導電性接着剤液７１がとどまる。その結果、より一層確実な接合強度をもって、圧電素子１３への機械的ストレスを一切与えることなく、共有電極板１９と配線部６３Ａ，６３Ｂとの間における電気的接続を担保することができる。
【００８９】
従って、圧電素子１３への配線作業を、圧電素子１３の歩留まり低下を抑制しつつ、より一層高信頼性を維持した状態で遂行することができる。
【００９０】
さらに、第２端子部材５７Ａ−２若しくは第３端子部材５７Ａ−３に係る圧電素子の電気的接続構造によれば、貫通孔６７Ａに導電性接着剤液７１が注入されたとき、共有電極板１９と第２端子部材５７Ａ−２若しくは第３端子部材５７Ａ−３との隙間に、孤立片群からなる液止め部材６９−２若しくは６９−３が介在していると、その隙間に狭小部分（図７（Ｂ），図８（Ｂ）参照）が生じる。すなわち、共有電極板１９と第２端子部材５７Ａ−２若しくは第３端子部材５７Ａ−３との間に生じる隙間と、各孤立片７３，７５間に生じる空間と、が相俟って、異形の狭小部分が生じる。この狭小部分では毛細管現象が発生し、同狭小部分において導電性接着剤液７１が這うように浸透・拡散する。
【００９１】
同様に、第６端子部材５７Ｂ−２若しくは第７端子部材５７Ｂ−３に係る圧電素子の電気的接続構造によれば、貫通孔６７Ｂに導電性接着剤液７１が注入されたとき、共有電極板１９と第６端子部材５７Ｂ−２若しくは第７端子部材５７Ｂ−３との隙間に、孤立片群からなる液止め部材６９−２若しくは６９−３が介在していると、その隙間に狭小部分（図１２（Ｂ），図１３（Ｂ）参照）が生じる。すなわち、共有電極板１９と、第６端子部材５７Ｂ−２若しくは第７端子部材５７Ｂ−３との間に生じる隙間と、各孤立片７３，７５間に生じる空間と、が相俟って、異形の狭小部分が生じる。この狭小部分では毛細管現象が発生し、同狭小部分において導電性接着剤液７１が這うように浸透・拡散する。
【００９２】
これに対し、液止め部材６９が介在していない前記隙間が広い部分では毛細管現象が発生しないため、同隙間が広い部分において導電性接着剤液７１が浸透・拡散することはない。
【００９３】
このように、孤立片群からなる液止め部材６９−２若しくは６９−３の介在部分における外延（図７（Ａ），図１２（Ａ）中の符合７７で示す点線部分、若しくは図８（Ａ），図１３（Ａ）中の符合７９で示す点線部分参照）を越えてまで導電性接着剤液７１が浸透・拡散することはない。液止め部材６９−２若しくは６９−３の介在部分における外延があたかも堤防のように機能することで、前記外延の内側に導電性接着剤液７１がとどまる。その結果、確実な接合強度をもって、圧電素子１３への機械的ストレスを一切与えることなく、共有電極板１９と配線部６３Ａ，６３Ｂとの間における電気的接続を担保することができる。
【００９４】
従って、圧電素子１３への配線作業を、圧電素子１３の歩留まり低下を抑制しつつ高信頼性を維持した状態で遂行することができる。
【００９５】
そして、第４又は第８端子部材５７Ａ−４，５７Ｂ−４に係る圧電素子の電気的接続構造によれば、貫通孔６７Ａ，６７Ｂに導電性接着剤液７１が注入されたとき、共有電極板１９と端子部材５７Ａ，５７Ｂとの間に生じる隙間に、共有電極板１９側に密着（貼着を含む。）して設けられているリング状の液止め部材６９−４が介在していると、その隙間に狭小部分（図９（Ｃ），図１４（Ｃ）参照）が生じる。この狭小部分では毛細管現象が発生し、同狭小部分において導電性接着剤液７１が這うように浸透・拡散する。
【００９６】
これに対し、液止め部材６９が介在していない前記隙間が広い部分では毛細管現象が発生しないため、同隙間が広い部分において導電性接着剤液７１が浸透・拡散することはない。
【００９７】
このように、リング状の液止め部材６９−４の介在部分における外延を越えてまで導電性接着剤液７１が浸透・拡散することはない。液止め部材６９−４の介在部分におけるリング状の外延があたかも堤防のように機能することで、前記リング状の外延の内側に導電性接着剤液７１がとどまる。その結果、より一層確実な接合強度をもって、圧電素子１３への機械的ストレスを一切与えることなく、共有電極板１９と配線部６３Ａ，６３Ｂとの間における電気的接続を担保することができる。
【００９８】
従って、第１又は第５端子部材５７Ａ−１，５７Ｂ−１に係る圧電素子の電気的接続構造と同様に、圧電素子１３への配線作業を、圧電素子１３の歩留まり低下を抑制しつつ高信頼性を維持した状態で遂行することができる。
【００９９】
次に、本発明実施例に係るヘッドサスペンション３１の動作について、一対の第１及び第２電極板１５，１７を電気的に接地する一方、共有電極板１９に所要の電圧を印加した場合を想定して説明する。
【０１００】
この場合、圧電素子１３は、図２に示す通り、第１電極板１５における一方の端面２３が収縮する一方、第２電極板１７における他方の端面２５が伸長することで、全体として略台形形状に歪む。
【０１０１】
すると、圧電素子１３は、Ｚ方向（図１参照）に微少距離だけ変位することで、駆動側ベース部Ｙにおける被駆動部材としてのロードビーム３５の位置を、スウェイ方向に変位させることができる。
【０１０２】
上述とは逆に、共有電極板１９を電気的に接地する一方、一対の第１及び第２電極板１５，１７に所要の電圧を印加した場合には、マイナスＺ方向（図１参照）に微少距離だけ変位することで、駆動側ベース部Ｙにおける被駆動部材としてのロードビーム３５の位置を、スウェイ方向に変位させることができる。
【０１０３】
従って、本発明実施例に係る圧電アクチュエータ１１を組み込んだヘッドサスペンション３１によれば、圧電素子１３における第１及び第２電極板１５，１７と共有電極板１９の３枚の各電極のそれぞれに対して都合３系統の電気的接続を確保すればよい。
【０１０４】
この結果、圧電素子への配線作業を、簡易かつ高信頼性を維持した状態で遂行するのを、各電極の構成面から補助することができる。
【０１０５】
また、ベースプレート３３によって埋込み式に圧電素子１３をその下面側から支持させるとともに、圧電素子１３のほぼ全周にわたってベースプレート３３で包囲させる構成を採用したので、圧電素子１３を接着する際の位置決めが容易で、かつ、圧電素子１３の損傷を回避できるとともに、脆く欠けやすい圧電素子１３を効果的に保護することができる。
【０１０６】
さらに、共有電極板１９と、同共有電極板１９に対面する端子部材５７との間の電気的接続について、接続箇所は一箇所のみであるから、フレキシャ３９における配線本数削減、並びにフレキシャ３９における配線箇所の少数化に由来する取り数向上に寄与することができる。
【０１０７】
最後に、本発明に係る電気的接続構造は、易破壊性を有する導電性部材に適用することができる。
【０１０８】
すなわち、本発明実施例に係る導電性部材の電気的接続構造では、易破壊性を有する導電性部材に電極を設ける。前記電極に給電するための、少なくとも電気絶縁層と配線部とを積層させてなる端子部材に貫通孔を設ける。前記電極と前記端子部材とを、前記電気絶縁層側を前記導電性部材側に向けて対面させ、かつ、前記電極と前記端子部材との間であって前記貫通孔の周辺に液止め部材を介在させた状態で、前記貫通孔内に液状の導電性接着剤が注入される。これによって、前記電極と前記配線部との間が電気的に接続されている、構成を採用してもよい。
【０１０９】
なお、”端子部材に貫通孔を設ける”とは、電気絶縁層のみを貫通するように端子部材に貫通孔を設ける態様と、電気絶縁層及び配線部を貫通するように端子部材に貫通孔を設ける態様と、の両者を含む概念である。
【０１１０】
このように構成すれば、貫通孔内に液状の導電性接着剤が注入されたとき、前記電極と前記端子部材との隙間に前記液止め部材が介在していると、その隙間に狭小部分が生じる。この狭小部分では毛細管現象が発生し、同狭小部分において導電性接着剤液が這うように浸透・拡散する。
【０１１１】
これに対し、前記液止め部材が介在していない前記隙間が広い部分では毛細管現象が発生しないため、同隙間が広い部分において導電性接着剤液が浸透・拡散することはない。
【０１１２】
このように、液止め部材の介在部分における外延を越えてまで導電性接着剤液が浸透・拡散することはない。液止め部材の介在部分における外延があたかも堤防のように機能することで、前記外延の内側に導電性接着剤液がとどまる。その結果、確実な接合強度をもって、圧電素子への機械的ストレスを一切与えることなく、前記電極と前記配線部との間における電気的接続を担保することができる。
【０１１３】
従って、圧電素子への配線作業を、圧電素子の歩留まり低下を抑制しつつ高信頼性を維持した状態で遂行することができる。
【０１１４】
［その他］
本発明は、上述した実施例に限られるものではなく、請求の範囲及び明細書全体から読み取れる発明の要旨、あるいは技術思想に反しない範囲で適宜変更可能であり、そのような変更を伴う圧電素子の電気的接続構造、圧電アクチュエータ、ヘッドサスペンション、及び導電性部材の電気的接続構造もまた、本発明における技術的範囲の射程に包含されるものである。
【０１１５】
すなわち、例えば、ベースプレート３３に可撓部４１ａ，４１ｂ及び開口部４３を設ける構成に代えて、アクチュエータプレート３４に可撓部４１ａ，４１ｂ及び開口部４３を設ける構成を採用したヘッドサスペンションも、本発明の技術的範囲の射程に含まれる。従って、本件出願に係る発明の構成要件”ベースプレート”は、本発明実施例に係る”ベースプレート３３”及び”アクチュエータプレート３４”の両者を含む概念である。そのため、本発明の請求項に記載の構成要件”ベースプレート”は、必要に応じて”アクチュエータプレート”と読み替えることが可能である。具体的には、例えば、”ベースプレートに形成した開口部”は、必要に応じて”アクチュエータプレートに形成した開口部”と読み替えて、その技術的範囲を解釈することができる。
【０１１６】
また、本発明実施例中、本発明実施例に係る圧電アクチュエータが、ベースプレート３３と、フレキシャ３９が設けられるロードビーム３５と、の間に取り付けられる態様を例示して説明したが、本発明はこの例に限定されない。具体的には、例えば、ヘッドサスペンションをキャリッジアームに固定して、キャリッジアームの回動により磁気ヘッドを移動させるヘッド移動機構において、ヘッドサスペンション、磁気ヘッドスライダ、若しくは磁気ヘッド素子それ自体を微少移動させるために、基部と磁気ヘッドとの間に本発明実施例に係る圧電アクチュエータを介在させて設ける構成を採用してもよい。
【０１１７】
そして、本発明実施例中、一つの圧電素子１３を用いて圧電アクチュエータ１１を構成して、こうして構成した一つの圧電素子１３に対し、本発明に係る圧電素子の電気的接続構造を適用する例をあげて説明したが、本発明はこの例に限定されない。具体的には、例えば図１０に示すように、一対の圧電素子８１ａ，８１ｂを用いて圧電アクチュエータ８３を構成して、こうして構成した一対の圧電素子８１ａ，８１ｂのそれぞれに対し、本発明に係る圧電素子の電気的接続構造を適用してもよいことはいうまでもない。
【符号の説明】
【０１１８】
１１  圧電アクチュエータ
１３  圧電素子（圧電アクチュエータの一部を構成する。）
１５  第１電極板
１７  第２電極板
１９  共有電極板（圧電素子の電極）
２１  圧電材料部
２１ａ，２１ｂ  第１，第２圧電材料部
３１  ヘッドサスペンション
３３  ベースプレート
３４  アクチュエータプレート
３５  ロードビーム
３７  連結プレート（ヒンジ部材）
３９  フレキシャ
４１ａ，４１ｂ  一対の可撓部
４３  開口部
４９ａ，４９ｂ  ヒンジ部
５３ａ，５３ｂ  一対の導電性接着剤
５５Ａ，５５Ｂ  配線部材
５７Ａ，５７Ｂ  端子部材
５９  導電性基材
６１  電気絶縁層
６３Ａ，６３Ｂ  配線部
６５  エッチング抜き部分
６７Ａ，６７Ｂ  貫通孔
６９  液止め部材
７１  導電性接着剤
７３，７５  孤立片
８１ａ，８１ｂ  一対の圧電素子（圧電アクチュエータの一部を構成する。）
８３  圧電アクチュエータ
【図１】
2010086649.tif 000003
【図２】
2010086649.tif 000004
【図３】
2010086649.tif 000005
【図４】
2010086649.tif 000006
【図５】
2010086649.tif 000007
【図６】
2010086649.tif 000008
【図７】
2010086649.tif 000009
【図８】
2010086649.tif 000010
【図９】
2010086649.tif 000011
【図１０】
2010086649.tif 000012
【図１１】
2010086649.tif 000013
【図１２】
2010086649.tif 000014
【図１３】
2010086649.tif 000015
【図１４】
2010086649.tif 000016
【図１５】
2010086649.tif 000017